(57)【要約】【課題】適切なページング応答待ち時間を提供することが可能なパケット交換機の提供。【解決手段】移動通信システム用パケット交換機１は移動機４に対するパケット呼着信契機を受信する。移動通信システム用パケット交換機１は、受信した着信パケット呼の通信品質（ＱｏＳ）を判断し、移動機４に対するページングメッセージの応答待ち時間及びページング応答がない場合のページングメッセージ再送回数を決定する。これにより、通信品質に適したページングメッセージの応答待ち時間及びページングメッセージ再送回数の設定が可能となる。【選択図】      図１
2004320388.tif 000002
【特許請求の範囲】
【請求項１】
移動通信システムにおけるパケット交換機であって、
ページングメッセージを送出して移動機を呼び出す場合に、前記ページングメッセージを送出する契機となる事象を判定し、その判定結果に基づいて、前記ページングメッセージに対する移動機からの応答待ち時間及び前記ページングメッセージに対する応答が無かった場合のページングメッセージの再送回数を制御する呼制御手段を含むことを特徴とするパケット交換機。
【請求項２】
前記ページングメッセージを送出する契機となる事象情報と、前記応答待ち時間情報及び前記再送回数情報とが関連づけて格納されるデータベースがさらに含まれ、前記呼制御手段は前記データベースを参照して前記応答待ち時間及び前記再送回数を制御することを特徴とする請求項１記載のパケット交換機。
【請求項３】
前記ページングメッセージを送出する契機となる事象は、初期状態にある前記呼制御手段が、上位交換機からのパケット呼着信イベントを受信したことであることを特徴とする請求項１又は２記載のパケット交換機。
【請求項４】
前記ページングメッセージを送出する契機となる事象は、既にパケット呼が生起しており、かつ前記パケット交換機と前記移動機との間の信号路及び通信路が確立されていない状態で、上位交換機から前記呼制御手段に対してパケットが送信されてきた場合であることを特徴とする請求項１又は２記載のパケット交換機。
【請求項５】
前記ページングメッセージを送出する契機となる事象は、既にパケット呼が生起しており、かつ前記パケット交換機と前記移動機との間の信号路及び通信路が確立されていない状態で、上位交換機から前記呼制御手段に対して前記移動機の確立済みのパケット呼を切断する要求の信号を受信した場合であることを特徴とする請求項１又は２記載のパケット交換機。
【請求項６】
前記ページングメッセージを送出する契機となる事象は、パケット呼が生起していない状態で、前記パケット交換機の内部で保持している前記移動機に関する情報を削除する場合であることを特徴とする請求項１又は２記載のパケット交換機。
【請求項７】
前記呼制御手段は、上位交換機からのパケット呼着信イベントを受信すると、この着信処理を起動するパケット呼にて要求されている通信品質が何かであるかを判定して前記応答待ち時間及び前記再送回数を制御することを特徴とする請求項３記載のパケット交換機。
【請求項８】
前記呼制御手段は、上位交換機からのパケットを受信すると、この着信処理を起動するパケット呼にて要求されている通信品質が何かであるかを判定して前記応答待ち時間及び前記再送回数を制御することを特徴とする請求項４記載のパケット交換機。
【請求項９】
前記呼制御手段は、上位交換機からのパケットを受信すると、そのパケットがＩＰパケットであれば、そのＩＰパケットのヘッダ中の優先度指定を参照し、そのパケットの優先度に基づいて前記応答待ち時間及び前記再送回数を決定することを特徴とする請求項４記載のパケット交換機。
【請求項１０】
前記呼制御手段は、上位交換機からのパケットを受信すると、そのパケットがＩＰパケットであり、かつそのＩＰパケットに上位プロトコルのメッセージが載っていれば、そのＩＰパケットの上位プロトコルを参照し、その上位プロトコルに基づいて前記応答待ち時間及び前記再送回数を決定することを特徴とする請求項４記載のパケット交換機。
【請求項１１】
前記呼制御手段は、上位交換機からのパケットを受信すると、そのパケットがＩＰパケットであり、かつそのＩＰパケットに複数のプロトコルのメッセージが載っていれば、上位アプリケーションの種類又はアプリケーションのメッセージの内容を参照し、その上位アプリケーションの種類又はアプリケーションのメッセージの内容に基づいて前記応答待ち時間及び前記再送回数を決定することを特徴とする請求項４記載のパケット交換機。
【請求項１２】
移動通信システムにおけるパケット交換機のペ−ジング応答待ち方法であって、
ページングメッセージを送出して移動機を呼び出す場合に、前記ページングメッセージを送出する契機となる事象を判定する判定ステップと、その判定結果に基づいて、前記ページングメッセージに対する移動機からの応答待ち時間及び前記ページングメッセージに対する応答が無かった場合のページングメッセージの再送回数を制御する呼制御ステップとを含むことを特徴とするペ−ジング応答待ち方法。
【請求項１３】
前記ページングメッセージを送出する契機となる事象情報と、前記応答待ち時間情報及び前記再送回数情報とが関連づけて格納されるデータベースがさらに含まれ、前記呼制御ステップは前記データベースを参照して前記応答待ち時間及び前記再送回数を制御することを特徴とする請求項１２記載のペ−ジング応答待ち方法。
【請求項１４】
前記ページングメッセージを送出する契機となる事象は、初期状態にある前記呼制御ステップが、上位交換機からのパケット呼着信イベントを受信したことであることを特徴とする請求項１２又は１３記載のペ−ジング応答待ち方法。
【請求項１５】
前記ページングメッセージを送出する契機となる事象は、既にパケット呼が生起しており、かつ前記パケット交換機と前記移動機との間の信号路及び通信路が確立されていない状態で、上位交換機から前記呼制御ステップに対してパケットが送信されてきた場合であることを特徴とする請求項１２又は１３記載のペ−ジング応答待ち方法。
【請求項１６】
前記ページングメッセージを送出する契機となる事象は、既にパケット呼が生起しており、かつ前記パケット交換機と前記移動機との間の信号路及び通信路が確立されていない状態で、上位交換機から前記呼制御ステップに対して前記移動機の確立済みのパケット呼を切断する要求の信号を受信した場合であることを特徴とする請求項１２又は１３記載のペ−ジング応答待ち方法。
【請求項１７】
前記ページングメッセージを送出する契機となる事象は、パケット呼が生起していない状態で、前記パケット交換機の内部で保持している前記移動機に関する情報を削除する場合であることを特徴とする請求項１２又は１３記載のペ−ジング応答待ち方法。
【請求項１８】
前記呼制御ステップは、上位交換機からのパケット呼着信イベントを受信すると、この着信処理を起動するパケット呼にて要求されている通信品質が何かであるかを判定して前記応答待ち時間及び前記再送回数を制御することを特徴とする請求項１４記載のペ−ジング応答待ち方法。
【請求項１９】
前記呼制御ステップは、上位交換機からのパケットを受信すると、この着信処理を起動するパケット呼にて要求されている通信品質が何かであるかを判定して前記応答待ち時間及び前記再送回数を制御することを特徴とする請求項１５記載のペ−ジング応答待ち方法。
【請求項２０】
前記呼制御ステップは、上位交換機からのパケットを受信すると、そのパケットがＩＰパケットであれば、そのＩＰパケットのヘッダ中の優先度指定を参照し、そのパケットの優先度に基づいて前記応答待ち時間及び前記再送回数を決定することを特徴とする請求項１５記載のパケット交換機。
【請求項２１】
前記呼制御ステップは、上位交換機からのパケットを受信すると、そのパケットがＩＰパケットであり、かつそのＩＰパケットに上位プロトコルのメッセージが載っていれば、そのＩＰパケットの上位プロトコルを参照し、その上位プロトコルに基づいて前記応答待ち時間及び前記再送回数を決定することを特徴とする請求項１５記載のペ−ジング応答待ち方法。
【請求項２２】
前記呼制御ステップは、上位交換機からのパケットを受信すると、そのパケットがＩＰパケットであり、かつそのＩＰパケットに複数のプロトコルのメッセージが載っていれば、上位アプリケーションの種類又はアプリケーションのメッセージの内容を参照し、その上位アプリケーションの種類又はアプリケーションのメッセージの内容に基づいて前記応答待ち時間及び前記再送回数を決定することを特徴とする請求項１５記載のペ−ジング応答待ち方法。
【請求項２３】
移動通信システムにおけるパケット交換機のペ−ジング応答待ち方法をコンピュータに実行させるためのプログラムであって、
ページングメッセージを送出して移動機を呼び出す場合に、前記ページングメッセージを送出する契機となる事象を判定する判定ステップと、その判定結果に基づいて、前記ページングメッセージに対する移動機からの応答待ち時間及び前記ページングメッセージに対する応答が無かった場合のページングメッセージの再送回数を制御する呼制御ステップとを含むことを特徴とするプログラム。
【請求項２４】
前記ページングメッセージを送出する契機となる事象情報と、前記応答待ち時間情報及び前記再送回数情報とが関連づけて格納されるデータベースがさらに含まれ、前記呼制御ステップは前記データベースを参照して前記応答待ち時間及び前記再送回数を制御することを特徴とする請求項２３記載のプログラム。
【請求項２５】
前記ページングメッセージを送出する契機となる事象は、初期状態にある前記呼制御ステップが、上位交換機からのパケット呼着信イベントを受信したことであることを特徴とする請求項２３又は２４記載のプログラム。
【請求項２６】
前記ページングメッセージを送出する契機となる事象は、既にパケット呼が生起しており、かつ前記パケット交換機と前記移動機との間の信号路及び通信路が確立されていない状態で、上位交換機から前記呼制御ステップに対してパケットが送信されてきた場合であることを特徴とする請求項２３又は２４記載のプログラム。
【請求項２７】
前記ページングメッセージを送出する契機となる事象は、既にパケット呼が生起しており、かつ前記パケット交換機と前記移動機との間の信号路及び通信路が確立されていない状態で、上位交換機から前記呼制御ステップに対して前記移動機の確立済みのパケット呼を切断する要求の信号を受信した場合であることを特徴とする請求項２３又は２４記載のプログラム。
【請求項２８】
前記ページングメッセージを送出する契機となる事象は、パケット呼が生起していない状態で、前記パケット交換機の内部で保持している前記移動機に関する情報を削除する場合であることを特徴とする請求項２３又は２４記載のプログラム。
【請求項２９】
前記呼制御ステップは、上位交換機からのパケット呼着信イベントを受信すると、この着信処理を起動するパケット呼にて要求されている通信品質が何かであるかを判定して前記応答待ち時間及び前記再送回数を制御することを特徴とする請求項２５記載のプログラム。
【請求項３０】
前記呼制御ステップは、上位交換機からのパケットを受信すると、この着信処理を起動するパケット呼にて要求されている通信品質が何かであるかを判定して前記応答待ち時間及び前記再送回数を制御することを特徴とする請求項２６記載のプログラム。
【請求項３１】
前記呼制御ステップは、上位交換機からのパケットを受信すると、そのパケットがＩＰパケットであれば、そのＩＰパケットのヘッダ中の優先度指定を参照し、そのパケットの優先度に基づいて前記応答待ち時間及び前記再送回数を決定することを特徴とする請求項２６記載のプログラム。
【請求項３２】
前記呼制御ステップは、上位交換機からのパケットを受信すると、そのパケットがＩＰパケットであり、かつそのＩＰパケットに上位プロトコルのメッセージが載っていれば、そのＩＰパケットの上位プロトコルを参照し、その上位プロトコルに基づいて前記応答待ち時間及び前記再送回数を決定することを特徴とする請求項２６記載のプログラム。
【請求項３３】
前記呼制御ステップは、上位交換機からのパケットを受信すると、そのパケットがＩＰパケットであり、かつそのＩＰパケットに複数のプロトコルのメッセージが載っていれば、上位アプリケーションの種類又はアプリケーションのメッセージの内容を参照し、その上位アプリケーションの種類又はアプリケーションのメッセージの内容に基づいて前記応答待ち時間及び前記再送回数を決定することを特徴とする請求項２６記載のプログラム。
【発明の詳細な説明】
【０００１】
【発明の属する技術分野】
本発明は、パケット交換機及びそのページング応答待ち方法並びにプログラムに関し、特に移動通信システム用のパケット交換機及びそのページング応答待ち方法並びにプログラムに関する。
【０００２】
【従来の技術】
従来のページング処理について図１５を参照して説明する。図１５は従来の移動通信システムの一例の構成図である。同図を参照すると、従来の移動通信システムの一例は、移動通信システム用パケット交換機１００と、基地局制御装置２（２−１〜２−ｍ；ｍは正の整数）と、基地局３（３−１〜３−ｊ；ｊは正の整数）と、移動機４とを含んで構成される。各基地局３は各々サービスエリア１０（１０−１〜１０−ｊ）内の移動機４を管理する。
【０００３】
同図を参照すると、移動通信システムにおいて、移動機４が移動通信システム用パケット交換機１００のサービスエリア１０−１に所在する場合に、移動機４に対するパケット呼の着信契機が発生した場合、移動通信システム用パケット交換機１００は移動機４を呼び出すために、ページングメッセージを送出するよう、配下の基地局制御装置２に要求する。
【０００４】
同様に、基地局制御装置２は配下の基地局３にページングメッセージを送出するよう要求し、各々の基地局３はサービスエリア１０にページングメッセージを送信する。
【０００５】
移動機４は、基地局３−１からの電波を受信できる場所に位置した場合、ページングに対する応答メッセージをパケット交換機１００に返す。しかし、移動機４が地下街等、基地局２−１からの電波を受信できない場所に位置した場合、ページングメッセージに対する応答メッセージを返さない。
【０００６】
一方、パケット交換機１００はページングメッセージに対する移動機４の応答メッセージを一定時間待ち続け、応答が無い場合、場合によってはページングメッセージを繰り返し数回送出するものの、移動機４からの応答が無ければ着信処理を中止する。なお、これは文献公知の技術ではない。
【０００７】
パケット呼については、様々な通信品質ＱｏＳ（Ｑｕａｌｉｔｙ  ｏｆ  Ｓｅｒｖｉｃｅ  ）  のパケット呼が存在するものの、その待ち時間および再送回数はどのパケット呼についても一様であった。
【０００８】
又、この種の従来技術の他の例として、タイマ開始から所定時間後にタイムアウトすると呼出信号の再送を設定回数だけ行う技術（特許文献１参照）と、予め設定した時間が経過するまで、又は予め設定した回数だけ着呼報知信号を繰り返す技術（特許文献２参照）が開示されている。
【０００９】
【特許文献１】
特開平１０−０１３３３１号公報（図２）
【００１０】
【特許文献２】
特許第３２４５０８０号明細書（図４）
【００１１】
【発明が解決しようとする課題】
しかし、従来のページング応答待ち処理には以下の課題がある。
【００１２】
第１の課題は、様々なＱｏＳのパケット呼が存在し、その中には比較的ページングに対する応答までの待ち時間が長くても構わないケースがあるにもかかわらず、従来その待ち時間及び再送回数が一様に設定されていたため、長い待ち時間でもよいＱｏＳのパケット呼であったとしても、移動機４がごく短時間トンネル等に入っていてページングメッセージを受信できなかったという状況により着信処理が失敗してしまう場合があることである。
【００１３】
第２の課題は、様々なＱｏＳのパケット呼が存在し、その中にはページングに対する応答までの待ち時間が短くなくてはならないケースがあるにもかかわらず、従来その待ち時間および再送回数が一様であるため、よけいな時間ページングメッセージに対する応答を待ち続けなくてはならない場合があることである。
【００１４】
そこで本発明の目的は、適切なページング応答待ち時間を提供することが可能なパケット交換機及びそのページング応答待ち方法並びにプログラムを提供することにある。
【００１５】
【課題を解決するための手段】
前記課題を解決するために本発明によるパケット交換機は、移動通信システムにおけるパケット交換機であって、その交換機はページングメッセージを送出して移動機を呼び出す場合に、前記ページングメッセージを送出する契機となる事象を判定し、その判定結果に基づいて、前記ページングメッセージに対する移動機からの応答待ち時間及び前記ページングメッセージに対する応答が無かった場合のページングメッセージの再送回数を制御する呼制御手段を含むことを特徴とする。
【００１６】
又、本発明によるページング応答待ち方法は、移動通信システムにおけるパケット交換機のページング応答待ち方法であって、その方法はページングメッセージを送出して移動機を呼び出す場合に、前記ページングメッセージを送出する契機となる事象を判定する判定ステップと、その判定結果に基づいて、前記ページングメッセージに対する移動機からの応答待ち時間及び前記ページングメッセージに対する応答が無かった場合のページングメッセージの再送回数を制御する呼制御ステップとを含むことを特徴とする。
【００１７】
さらに、本発明によるプログラムは、移動通信システムにおけるパケット交換機のページング応答待ち方法をコンピュータに実行させるためのプログラムであって、そのプログラムはページングメッセージを送出して移動機を呼び出す場合に、前記ページングメッセージを送出する契機となる事象を判定する判定ステップと、その判定結果に基づいて、前記ページングメッセージに対する移動機からの応答待ち時間及び前記ページングメッセージに対する応答が無かった場合のページングメッセージの再送回数を制御する呼制御ステップとを含むことを特徴とする。
【００１８】
即ち、本発明の特徴は、移動通信システム用パケット交換機において、ページングメッセージを送出して移動機を呼び出す場合に、そのページングメッセージを送出する契機となった事象を元に、ページングメッセージに対する移動機からの応答待ち時間、及びページングメッセージに対する応答が無かった場合のページングメッセージの再送回数を変えるようにしたことにある。
【００１９】
【発明の実施の形態】
以下、本発明の実施の形態について添付図面を参照しながら説明する。図１は本発明に係るパケット交換機を含む移動通信システムの最良の実施の形態の構成図である。同図を参照すると、本発明に係る移動通信システムは移動通信システム用パケット交換機１と、基地局制御装置２（２−１〜２−ｍ；ｍは正の整数）と、基地局３（３−１〜３−ｊ；ｊは正の整数）と、移動機４とを含んで構成される。各基地局３は各々サービスエリア１０（１０−１〜１０−ｊ）内の移動機４を管理する。なお、図１５に示す従来の移動通信システムとの相違点は移動通信システム用パケット交換機の構成のみであるため、移動通信システム用パケット交換機に付す番号のみ１と変更し、他の構成部分については図１５に示すものと同一の番号を付した。
【００２０】
パケット交換機１は移動機４に対するパケット呼着信契機（着信イベント）を受信する。パケット交換機１は、受信した着信パケット呼の通信品質（ＱｏＳ）を判断し、移動機４に対するページングメッセージの応答待ち時間、およびページング応答がない場合のページングメッセージ再送回数を決定する。
【００２１】
パケット交換機１は、ページングメッセージの送出要求を基地局制御装置２に送出する。パケット交換機１は、移動機４からのページング応答を決定した待ち時間分待ち続ける。
【００２２】
基地局制御装置２は、ページングメッセージの送出要求を基地局３に送出する。基地局３は、ページングメッセージをサービスエリア１０に対して送出する。
【００２３】
移動機４が、例えばサービスエリア１０−１内に所在し、ページングメッセージを受信できた場合、ページングメッセージに対する応答メッセージを、基地局３−１、基地局制御装置２−１を経由してパケット交換機１に対して送信する。
【００２４】
ページングに対する応答メッセージがパケット交換機１に届くと、パケット交換機１から移動機４までの間の信号路が確立され、この信号路の上で各種メッセージのやりとりが実施されて、パケット交換機１から移動機４までの間の通信路も確立され、パケット呼が生起する。
【００２５】
移動機４が、基地局３−１からのメッセージを受信できなかった場合は、パケット交換機１に対してページングの応答メッセージが返送されないため、パケット交換機１でのページング応答待ち時間が満了し、あらかじめ決定した回数分ページングメッセージの再送を試みる。
【００２６】
このようにして、本発明によるパケット交換機１ではページングメッセージに対する応答メッセージを待つ時間及びページングメッセージを再送する回数を、着信処理が起動されたパケット呼の通信品質（ＱｏＳ）に応じて決定しているので、各々のパケット呼に対し最適な応答メッセージ待ち時間及びページングメッセージ再送回数を得ることができ、不要なページング応答待ち時間を短縮することや、着信動作を成功させる確率を上げることができる。
【００２７】
【実施例】
（第１実施例）
図２は本発明に係る移動通信システム用パケット交換機１の内部構成の一例を示す図である。同図を参照すると、移動通信システム用パケット交換機１は、呼制御部２１と、基地局制御装置２とのメッセージ送受信部２２と、図示しない上位交換機とのメッセージ送受信部２３と、データベース２４と、メモリ２５とを含んで構成される。
【００２８】
呼制御部２１はパケット呼の発信、着信及び切断を制御する。上位交換機とのメッセージ送受信部２３は、上位交換機から受信したメッセージを呼制御部２１に転送すると共に、呼制御部２１から上位交換機へのメッセージ送信要求を受けると上位交換機にそのメッセージを送信する。
【００２９】
基地局制御装置２とのメッセージ送受信部２２は、基地局制御装置２から受信したメッセージを呼制御部２１に転送すると共に、呼制御部２１から基地局制御装置２へのメッセージ送信要求を受けた場合に基地局制御装置２へそのメッセージを送信する。
【００３０】
データベース部２４は、呼制御部２１が呼制御を実施するのに必要な情報を格納しており、必要に応じて呼制御部２１から呼ばれて、要求された情報を呼制御部２１に提供する。
【００３１】
メモリ２５には後述するページング応答待ち方法をコンピュータに実行させるためのプログラムが格納されている。
【００３２】
呼制御部２１が制御するパケット呼については、複数の通信品質（ＱｏＳ）があらかじめ定義されており、その通信品質に見合うようにパケット呼を生成する。
【００３３】
ＧＰＲＳ／ＵＭＴＳ（Ｇｅｎｅｒａｌ  Ｐａｃｋｅｔ  Ｒａｄｉｏ  Ｓｅｒｖｉｃｅ／Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）  を一例に挙げると以下のような通信品質があらかじめ定義されている。
【００３４】
（１）バックグラウンド（Ｂａｃｋｇｒｏｕｎｄ）
これは、通信パケットの紛失度合、遅延時間が全く保証されない通信品質である。電子メール（ｅ−ｍａｉｌ）受信等の用途に向いている。
【００３５】
（２）インタラクティブ（Ｉｎｔｅｒａｃｔｉｖｅ）
これは、通信パケットの紛失度合はバックグラウンドに比べて少なく、又遅延時間についてもバックグラウンドよりは厳しく定義されているものの、やはり遅延時間に厳しいアプリケーションの使用に向かない通信品質である。Ｗｅｂ参照等の用途に向いている。
【００３６】
（３）ストリーミング（Ｓｔｒｅａｍｉｎｇ）
これは、通信パケットの紛失度合、遅延時間、双方についてインタラクティブよりも厳しい条件が定義されている通信品質である。動画配信等の用途に向いている。
【００３７】
（４）コンバセーショナル（Ｃｏｎｖｅｒｓａｔｉｏｎａｌ）
これは、遅延時間についてストリーミングよりも厳しい条件が定義されている通信品質である。パケット通信での音声会話等、きわめて厳しい実時間性を要求される通信に向いている。
【００３８】
以上詳細に実施例の構成としてＧＰＲＳ／ＵＭＴＳというパケット移動通信システムでの定義を述べた。
【００３９】
次に、パケット呼の構成について説明する。図３はパケット呼の一例の構成図である。同図を参照すると、パケット呼３１は通信品質（ＱｏＳ）情報を含んでいる。
【００４０】
次に、データベース２４の構成について説明する。図４はデータベース２４の一例の構成図である。同図を参照すると、データベース２４には４種の通信品質と、その各々に対する応答待ち時間及び再送回数が格納されている。
【００４１】
即ち、通信品質がバックグラウンドの場合は、応答待ち時間がＴ１（秒、以下省略）、再送回数がＮ１（回、以下省略）に設定され、インタラクティブの場合は、応答待ち時間がＴ２、再送回数がＮ２、ストリーミングの場合は、応答待ち時間がＴ３、再送回数がＮ３、コンバセーショナルの場合は、応答待ち時間がＴ４、再送回数がＮ４に各々設定される。一例として、応答待ち時間Ｔ１＞Ｔ２＞Ｔ３＞Ｔ４、並びに再送回数Ｎ１＞Ｎ２＞Ｎ３＞Ｎ４となる値が設定される。
【００４２】
なお、この値の大小の条件はこれに限定されるものではなく、任意に設定が可能である。又、通信品質として４種挙げたが、これらに限定されるものではなく、他の通信品質であってもよい。
【００４３】
次に図２の呼制御部２１の動作を図５及び図６に示すフローチャートを使用して説明する。図５及び図６は本発明に係るパケット交換機の動作を示すフローチＳ１ャートである。図５を参照すると、初期状態にあるパケット呼制御部２１が（Ｓ１）、上位交換機からのパケット呼着信イベントを受信すると（Ｓ２）、この着信処理を起動するパケット呼にて要求されている通信品質ＱｏＳが何であるかを判断する（Ｓ３）。
【００４４】
そして、パケット呼制御部２１は着信動作を起動するパケット呼にて要求されている通信品質ＱｏＳに基づき、ページング応答待ち時間およびページング再送回数を呼制御部２１に付随するデータベース２４から読み出し、決定する（Ｓ４−１〜Ｓ４−４）。
【００４５】
即ち、パケット呼制御部２１はパケット呼の通信品質ＱｏＳ  がバックグラウンドの場合は（Ｓ４−１）、データベース２４からページング応答待ち時間Ｔ１及びページング再送回数Ｎ１を読み出し、通信品質ＱｏＳがインタラクティブの場合は（Ｓ４−２）、データベース２４からページング応答待ち時間Ｔ２及びページング再送回数Ｎ２、通信品質ＱｏＳがストリーミングの場合は（Ｓ４−３）、データベース２４からページング応答待ち時間Ｔ３及びページング再送回数Ｎ３、通信品質ＱｏＳがコンバセーショナルの場合は（Ｓ４−４）、データベース２４からページング応答待ち時間Ｔ４及びページング再送回数Ｎ４を各々読み出す。
【００４６】
パケット呼制御部２１は応答待ち時間及び再送回数Ｎを決定した上で、ページングメッセージを送出する（Ｓ５）。ページングメッセージ送出後はページング応答待ち状態に遷移し（Ｓ６）、ページングメッセージに対する応答を待つ。
【００４７】
次に、図６を参照し、ページング応答待ち状態で（Ｓ６）、移動機４からページングに対する応答メッセージを受信すると（Ｓ７）、パケット呼制御部２１はパケット呼着信処理を続行し（Ｓ８）、パケット呼が生起してパケット通信中状態になる（Ｓ９）。
【００４８】
一方、ページング応答待ち状態（Ｓ６）で、ページング応答待ちの時間が経過した場合（Ｓ１０）、ページングメッセージを再送した回数が、先に決定したページング再送回数を超えているかどうか判断する（Ｓ１１）。
【００４９】
ページングメッセージを再送した回数が、先に決定したページング再送回数を超えていない場合（Ｓ１１にてＹｅｓの場合）、パケット呼制御部２１はページングメッセージを再送し（Ｓ１２）、ページング応答待ち状態に再び遷移する（Ｓ１３）。
【００５０】
一方、ページング再送回数が、先に決定した再送回数超えていた場合（Ｓ１１にてＮｏの場合）、着信処理を中止し（Ｓ１４）、初期状態に戻る（Ｓ１５）。
【００５１】
ＧＰＲＳ／ＵＭＴＳパケット移動通信システムでは、ページングメッセージを送出するケースはパケット呼着信以外にもある。本発明の他の実施例として、その基本的構成は上記と同様であるが、このパケット呼着信以外を契機としてページングメッセージを送出する場合について以下説明する。
【００５２】
（第２実施例）
既にパケット呼が生起している状態で、パケット交換機と移動機の間の信号路及び通信路が確立されていない状態が存在する。例えば、図１を参照すると、移動通信システム用パケット交換機１から基地局制御装置２−１及び基地局３−１を経由して移動機４までの信号路及び通信路が確立され、パケット呼が生起した後、例えば、不図示のタイマ等が作動してパケット交換機１から移動機４までの信号路及び通信路が確立されなくなる場合がある。しかし、この場合、パケット呼の生起状態は保持されている。従って、パケット交換機１には、そのパケット呼に関する制御情報が保持されている。
【００５３】
この状態で、上位交換機から移動機４に対するパケットが送信されてきた場合、パケット交換機１は、ページングメッセージを送出し、移動機４を呼び出し、移動機４と交換機１の間の信号路を確立した上で、各種メッセージのやりとりにより移動機４と交換機１の間の通信路を確立する。
【００５４】
この際、既に生起しているパケット呼に設定されている通信品質ＱｏＳを元に（図５のＳ３）、ページングメッセージの再送回数、応答待ち時間を決定する（図５のＳ４−１〜Ｓ４−４）。
【００５５】
（第３実施例）
又、他の実施例として、パケット呼が生起済みで、移動機４とパケット交換機１の間に信号路及び通信路が確立されていない状況で移動機４に対するパケットがパケット交換機１に送信され、そのパケットがＩＰ（Ｉｎｔｅｒｎｅｔ  Ｐｒｏｔｏｃｏｌ  ）パケットである場合が存在する。
【００５６】
図７はＩＰパケットの一例の構成図である。同図を参照すると、ＩＰパケット４１のヘッダ４２にはそのパケット転送の優先度を示す優先度情報４３が含まれている。
【００５７】
図８はデータベース２４の他の一例の構成図である。同図を参照すると、データベース２４には優先度１〜ｋ（ｋは正の整数）と、応答待ち時間Ｔ１１〜Ｔｋ及び再送回数Ｎ１１〜Ｎｋとを関連づけた情報が格納されている。
【００５８】
図９は、第３実施例の動作を示すフローチャートである。同図は図５のフローチャートのＳ２，Ｓ３及びＳ４をＳ２１、Ｓ２２及びＳ２３に置換したものである。
【００５９】
パケット交換機１のパケット呼制御部２１は、送信されてきたパケットがＩＰパケットであるか否かを判定し（Ｓ２１）、ＩＰパケットであれば（Ｓ２１にてＹＥＳの場合）、そのＩＰパケットのヘッダ４２中の優先度情報４３から優先度を判定し（Ｓ２２）、データベース２４を参照してページングメッセージの応答待ち時間及び再送回数を決定する（Ｓ２３）。
【００６０】
例えば、優先度が「高」（例えば優先度１）に設定されている場合は（２３−１）、応答待ち時間を短く（例えばＴ１１）かつ再送回数を少なく（例えばＮ１１）設定し、優先度が「低」（例えば優先度３）に設定されている場合は（Ｓ２３−３）、応答待ち時間を長く（例えばＴ１３）かつ再送回数を多く（例えばＮ１３）設定する（Ｓ２３−３）。ただし、優先度と、応答待ち時間と、再送回数との関係はこれに限定されるものではなく、設定は任意である。なお、ステップＳ２１にてＮＯの場合は別処理となるが、本発明とは関係のない処理なので説明を省略する。
【００６１】
（第４実施例）
また、他の実施例として、パケット呼が生起済みで、移動機４とパケット交換機１の間に信号路及び通信路が確立されていない状況で移動機４に対するパケットが送信され、そのパケットがＩＰパケットであるところまでは第３実施例と同様であるが、そのＩＰパケットに上位プロトコルのメッセージが載っていた場合、即ち、ＩＰプロトコル層の上位層に他のプロトコルのメッセージが存在する場合、パケット交換機１はその上位プロトコルが何であるかを判断してページングメッセージの再送回数、応答待ち時間を決定する。
【００６２】
図１０はデータベース２４の他の一例の構成図である。同図を参照すると、データベース２４にはＩＰパケットの上位プロトコルＰ１〜Ｐｕ（ｕは正の整数）と、応答待ち時間Ｔ２１〜Ｔｕ及び再送回数Ｎ２１〜Ｎｕとを関連づけた情報が格納されている。同図を参照すると、例えば、上位プロトコルＰ１に対しては応答待ち時間Ｔ２１と再送回数Ｎ２１とが設定され、上位プロトコルＰ２に対しては応答待ち時間Ｔ２２と再送回数Ｎ２２とが設定される。
【００６３】
図１１は、第４実施例の動作を示すフローチャートである。同図は図５のフローチャートのＳ２、Ｓ３及びＳ４をＳ３１〜Ｓ３４に置換したものである。
【００６４】
パケット交換機１のパケット呼制御部２１は、送信されてきたパケットがＩＰパケットである場合（Ｓ３１にてＹＥＳの場合）、上位プロトコルのメッセージが存在するか否かを判定する（Ｓ３２）。そして、存在する場合（Ｓ３２にてＹＥＳの場合）、データベース２４を参照してその上位プロトコルに応じてページングメッセージの応答待ち時間及び再送回数を決定する（Ｓ３４）。なお、ステップＳ３１及びＳ３２にてＮＯの場合は別処理となるが、本発明とは関係のない処理なので説明を省略する。
【００６５】
（第５実施例）
また、他の実施例として、パケット呼が生起済みで、移動機４とパケット交換機１の間に信号路及び通信路が確立されていない状況で移動機４に対するパケットが送信されてきた場合、そのパケットがＩＰパケットであるところまでは第４実施例と同様であるが、そのＩＰパケットに複数のプロトコルのメッセージが載っていた場合、即ち、ＩＰプロトコル層の上位層（ただし同位の層）に複数の他のメッセージが存在する場合、その上位アプリケーションの種類、又はアプリケーションのメッセージの内容を解析してページングメッセージの再送回数、応答待ち時間を決定する。
【００６６】
図１２は、第５実施例の動作を示すフローチャートである。同図は図５のフローチャートのＳ２，Ｓ３及びＳ４をＳ４１〜Ｓ４４に置換したものである。
【００６７】
パケット交換機１のパケット呼制御部２１は、送信されてきたパケットがＩＰパケットであるか否かを判定し（Ｓ４１）、ＩＰパケットであれば（Ｓ４１にてＹＥＳの場合）、上位層に複数のメッセージが存在するか否かを判定する（Ｓ４２）。そして、複数のメッセージが存在する場合（Ｓ４２にてＹｅｓの場合）、メッセージの内容を判定し（Ｓ４３）、データベース２４を参照してそのメッセージに対応するページングメッセージの応答待ち時間及び再送回数を決定する（Ｓ４４）。なお、データベース２４の構成は図１０に示すプロトコル欄をメッセージ欄に置換したものとなる。なお、ステップＳ４１及びＳ４２にてＮＯの場合は別処理となるが、本発明とは関係のない処理なので説明を省略する。
【００６８】
（第６実施例）
また、他の実施例として、パケット呼が生起済みで、移動機４とパケット交換機１の間に信号路及び通信路が確立されていない状況で、パケット交換機１が、上位交換機から移動機４に対するパケットが送信されてくる以外の契機で、その移動機４に対してページングメッセージを送信して移動機４と交換機１の間の通信路を確立する場合がある。
【００６９】
例えば、上位交換機から、その移動機４の確立済みのパケット呼を切断する要求の信号を受信したことにより、ページングメッセージを送信し、移動機４とパケット交換機１との間の通信路を確立し、パケット呼切断処理を実施する。
【００７０】
そのような場合において、そのページングメッセージを送信する理由により、ページングメッセージの応答待ち時間、再送回数を決定する。
【００７１】
図１３は、第６実施例の動作を示すフローチャートである。同図は図５のフローチャートのＳ２，Ｓ３及びＳ４をＳ５１及びＳ５２に置換したものである。
【００７２】
パケット交換機１のパケット呼制御部２１は、送信されてきたパケットがパケット切断要求であるか否かを判定し（Ｓ５１）、切断要求であれば（Ｓ５１にてＹＥＳの場合）、データベース２４を参照してその切断要求に対応するページングメッセージの応答待ち時間及び再送回数を決定する（Ｓ５２）。なお、データベース２４の構成は図１０に示すプロトコル欄をパケットが送信されてくる以外の契機欄に置換したものとなる。なお、ステップＳ５１にてＮＯの場合は別処理となるが、本発明とは関係のない処理なので説明を省略する。
【００７３】
（第７実施例）
又、他の実施例として、パケット呼が生起していない状態で、移動機４に対して何らかのメッセージを送信するためにパケット交換機１がページングメッセージを送信して移動機４とパケット交換機１の間の通信路を確立する場合がある。
【００７４】
例えば、パケット交換機１の内部で保持している移動機４に関する情報を削除するような場合、ページングメッセージを送信し、移動機４とパケット交換機１との間の通信路を確立し、移動機４の情報を削除する旨、パケット交換機１から移動機４に通知する。
【００７５】
そのような場合において、そのページングメッセージを送信する理由により、ページングメッセージの応答待ち時間、再送回数を決定する。
【００７６】
図１４は、第７実施例の動作を示すフローチャートである。同図は図５のフローチャートのＳ２、Ｓ３及びＳ４をＳ６１及びＳ６２に置換したものである。
【００７７】
パケット交換機１のパケット呼制御部２１は、パケット交換機１内部で保持する移動機４に関する情報を削除する契機が発生すると（Ｓ６１）、データベース２４を参照してその移動機４に関する情報の削除に対応するページングメッセージの応答待ち時間及び再送回数を決定する（Ｓ６２）。なお、データベース２４の構成は図１０に示すプロトコル欄をパケットが送信されてくる以外の契機欄に置換したものとなる。
【００７８】
このようにこれら実施例では、ページングメッセージを送出する契機となったイベントをパケット交換機１が解析し、ページングメッセージの応答待ち時間及び再送回数を決定しているため、状況に応じてページング処理が成功する確率を高める、もしくは不要な時間ページング応答待ち時間を費やさずにページング処理を中止させる効果が得られる。
【００７９】
（第８実施例）
次に、本発明に係るページング応答待ち方法をコンピュータに実行させるためのプログラムについて説明する。図２を参照すると、パケット交換機１の呼制御部２１はメモリ２５と接続されている。そのメモリ２５には図５、図６、図９、図１１〜図１４にフローチャートで示すページング応答待ち方法をコンピュータに実行させるためのプログラムが格納されている。
【００８０】
パケット交換機１の呼制御部２１はメモリ２５からそのプログラムを読み出し、そのプログラムに従ってメッセージ送受信部２２及び２３を制御する。その制御内容については既に述べたのでここでの説明は省略する。なお、呼制御部２１内にプログラムを含むよう構成することも可能である。
【００８１】
【発明の効果】
以上説明したように本発明によれば、ページングメッセージを送出して移動機を呼び出す場合に、前記ページングメッセージを送出する契機となる事象を判定し、その判定結果に基づいて、前記ページングメッセージに対する移動機からの応答待ち時間及び前記ページングメッセージに対する応答が無かった場合のページングメッセージの再送回数を制御する呼制御手段、呼制御ステップ及びプログラムを含むため、適切なページング応答待ち時間を提供することが可能となる。
【００８２】
即ち、第１の効果は着信処理が起動されたパケット呼のＱｏＳを判断して、適切なページング応答待ち時間、ページング再送回数を決定しているので、着信処理に要する時間が比較的長くても構わないパケット呼については、その応答待ち時間を長く、又再送回数を多くすることにより、着信処理が成功する可能性を高められることである。
【００８３】
第２の効果は着信処理が起動されたパケット呼のＱｏＳを判断して、適切なページング応答待ち時間、ページング再送回数を決定しているので、比較的短時間のうちに着信処理を完了させなくてはならない呼については、その応答待ち時間を短く、又再送回数を少なくすることにより、移動機からのページングメッセージに対する応答がなくて着信できないケースで不要な時間待たずに、着信処理を中止させられることである。
【図面の簡単な説明】
【図１】本発明に係るパケット交換機を含む移動通信システムの最良の実施の形態の構成図である。
【図２】本発明に係る移動通信システム用パケット交換機１の内部構成の一例を示す図である。
【図３】パケット呼の一例の構成図である。
【図４】データベース２４の一例の構成図である。
【図５】本発明に係るパケット交換機の動作を示すフローチャートである。
【図６】本発明に係るパケット交換機の動作を示すフローチャートである。
【図７】ＩＰパケットの一例の構成図である。
【図８】データベース２４の他の一例の構成図である。
【図９】データベース２４の他の一例の構成図である。
【図１０】データベース２４の他の一例の構成図である。
【図１１】第４実施例の動作を示すフローチャートである。
【図１２】第５実施例の動作を示すフローチャートである。
【図１３】第６実施例の動作を示すフローチャートである。
【図１４】第７実施例の動作を示すフローチャートである。
【図１５】従来の移動通信システムの一例の構成図である。
【符号の説明】
１  移動通信システム用パケット交換機
２  基地局制御装置
３  基地局
４  移動機
５  サービスエリア
２１  呼制御部
２２  基地局制御装置とのメッセージ送受信部
２３  上位交換機とのメッセージ送受信部
２４  データベース
２５  メモリ
【図１】
2004320388.tif 000003
【図２】
2004320388.tif 000004
【図３】
2004320388.tif 000005
【図４】
2004320388.tif 000006
【図５】
2004320388.tif 000007
【図６】
2004320388.tif 000008
【図７】
2004320388.tif 000009
【図８】
2004320388.tif 000010
【図９】
2004320388.tif 000011
【図１０】
2004320388.tif 000012
【図１１】
2004320388.tif 000013
【図１２】
2004320388.tif 000014
【図１３】
2004320388.tif 000015
【図１４】
2004320388.tif 000016
【図１５】
2004320388.tif 000017